(57)【要約】      （修正有）【課題】エンジン内部の作動部分に損害を与えないよう、気流内の粒子材料を除去するために、作動可能に取付けられ、点検整備が容易な、フィルタエレメント、エアクリーナ、クリーナハウジングおよび、これらを備えたエンジン空気流システムを提供する。【解決手段】エアクリーナ４０は、ハウジング４８と接近用カバーを含む。このハウジング４８の内部に形成される容積部分へは、ハウジングの側壁の開口を介して接近することができる。濾過媒体に縦溝流路を形成したフィルタエレメントは、エアクリーナ４０から移動でき交換することができる。このハウジングは組み立てられることで、カム機構によりフィルタエレメントがハウジング４８との間でシールを形成するように構成されている。【選択図】図２
0003110215.tif 000002
【実用新案登録請求の範囲】
【請求項１】
（ａ）第１の流れ面とこれに対向する第２の流れ面を形成したフィルタ媒体であって、前記フィルタ媒体のフィルタ媒体構造は複数の縦溝流路を有し、それぞれの前記縦溝流路は前記第１の流れ面に隣接する上流の部分と、前記第２の流れ面に隣接する下流の部分を有し、
（ｉ）一方の前記縦溝流路は、前記上流の部分で開いており、前記下流の部分で閉じており、他方の前記縦溝流路は、前記上流の部分で閉じており、前記下流の部分で開いており、
（ｂ）前記フィルタ媒体構造は、外側の周囲面と、２つの対向する湾曲した端部と、前記湾曲した端部の間に延設される一対の側面とを有する非−円筒の構造を有し、
（ｃ）ポリウレタン製のシール部材が、前記第２の流れ面の近くにおいて前記フィルタ媒体構造に固定され、
（ｄ）前記第１の流れ面の近くにおいて前記濾過媒体構造の外側の周囲に固定されるバンドであって、
（ｉ）前記第２の流れ面と前記バンドの間において少なくとも前記濾過媒体構造の一部が露出される、ことを特徴とするフィルタエレメント。
【請求項２】
（ａ）前記２つの対向する湾曲した端部の間に延設される前記一対の側面は、平坦面の側面であることを特徴とする請求項１に記載のフィルタエレメント。
【請求項３】
（ａ）前記バンドは、スライド表面を含むことを特徴とする請求項１に記載のフィルタエレメント。
【請求項４】
（ａ）前記濾過媒体構造は、楕円形の形状であることを特徴とする請求項１に記載のフィルタエレメント。
【請求項５】
（ａ）前記濾過媒体構造は、長円形の形状であることを特徴とする請求項１に記載のフィルタエレメント。
【請求項６】
（ａ）入口の端部とこれに対向する出口の端部と、前記入口の端部と前記出口の端部の間に延設される側壁を有するハウジングであって、
（ｉ）前記側壁は、前記ハウジングの内部の容積部に入るようにアクセスするための接近用開口部を形成し、前記接近用開口部は前記入口の端部と前記出口の端部の間に設けられ、
（ｂ）前記ハウジング中で動作できるように取り付けられ、シールされるシール部材を有するフィルタエレメントであって、前記フィルタエレメントは第１の流れ面とこれに対向する第２の流れ面を有し、前記フィルタエレメントは複数の縦溝流路を有するフィルタ媒体を含み、それぞれの前記縦溝流路は前記第１の流れ面に隣接する上流の部分と、前記第２の流れ面に隣接する下流の部分を有し、一方の前記縦溝流路は上流の部分で開いており、下流の部分で閉じており、他方の前記縦溝流路は上流の部分で閉じており、下流の部分で開いており、
（ｉ）前記ハウジングの入口の端部を通り、前記第１の流れ面を通り、前記第２の流れ面を通り、そして前記ハウジングの前記出口の端部を通るように空気を通過させて動作できるように前記フィルタエレメントが取り付けられ、
（ｉｉ）前記ハウジングは、前記フィルタエレメントを前記側壁の前記接近用開口部を通して受け入れるように構成および配置され、
（ｃ）前記接近用開口部の上で取り外しできるように配置される接近用カバーであって、前記接近用カバーは前記入口の端部と前記出口の端部の間に設けられる、
ことを特徴とするエアクリーナ。
【請求項７】
（ａ）前記ハウジングの側壁は、スライドマウントを含むことを特徴とする請求項６に記載のエアクリーナ。
【請求項８】
（ａ）前記スライドマウントは、前記接近用開口部から、前記フィルタエレメントを前記ハウジングに対してシール係合させる閉じた部分まで延設される斜面を含むことを特徴とする請求項７に記載のエアクリーナ。
【請求項９】
（ａ）前記接近用カバーは、前記ハウジングの内部の前記容積部に向けて延設される突起部を含み、
（ｉ）前記突起部は、前記フィルタエレメントが前記ハウジングの内部で動作できるように設置されたときに前記フィルタエレメントを支持することを特徴とする請求項６に記載のエアクリーナ。
【請求項１０】
（ａ）前記フィルタエレメントは、前記第１の流れ面の周囲に設けられるバンドを含み、
（ｉ）前記突起部は、前記フィルタエレメントを支持するために前記バンドに対して係合することを特徴とする請求項９に記載のエアクリーナ。
【請求項１１】
（ａ）前記バンドは、前記斜面および前記突起部の双方に対して係合することを特徴とする請求項１０に記載のエアクリーナ。
【請求項１２】
（ａ）前記接近用カバーは、エレメント覆い部と、ネックと、突起部とを有する側壁を含み、
（ｉ）前記突起部は、前記ハウジングの内部の前記容積部に向けて延設され、
（ｉｉ）前記側壁は、前記ハウジングの前記入口の端部の近くの入口の端部と、前記ハウジングの前記出口の端部の近くの出口の端部とを有し、
（ｉｉｉ）前記ネックは、前記側壁の前記入口の端部の近くに設けられており、
（ｉｖ）前記エレメント覆い部は、前記側壁の前記出口の端部の近くに設けられており、
（ｖ）前記突起部は、前記エレメント覆い部から前記ネックまで延設される表面を含み、
（ｂ）前記フィルタエレメントは、前記第１の流れ面の周囲に設けられるバンドを含み、
（ｉ）前記突起部は、前記フィルタエレメントを支持するために前記バンドに係合し、
（ｉｉ）前記フィルタエレメントの対向端部は、前記ハウジングの前記側壁の閉じた端部において、前記バンドと前記斜面の深い斜面部分との間の係合により支持されることを特徴とする請求項８に記載のエアクリーナ。
【請求項１３】
（ａ）前記ハウジングの前記側壁は、前記フィルタエレメントの形状に対応する形状に湾曲された内部を含むことを特徴とする請求項６に記載のエアクリーナ。
【請求項１４】
（ａ）前記ハウジングの前記側壁は、Ｕ字形状であり、前記接近用開口部を形成するための閉じた端部と開口した端部とを形成する湾曲部を含むことを特徴とする請求項１３に記載のエアクリーナ。
【請求項１５】
（ａ）前記ハウジングの前記出口の端部は、出口の構造により形成され、
（ｉ）前記出口の構造は、停止用の表面を区画し、
（ｉｉ）前記停止用の表面は、前記フィルタエレメントが前記ハウジングの中に動作できるように配置されたときに、前記シール部材が係合する端部表面を提供することを特徴とする請求項６に記載のエアクリーナ。
【請求項１６】
（ａ）前記フィルタエレメントは、枠構造を含み、前記枠構造は前記第２の流れ面から軸方向に突出される延設部を有し、前記シール部材が前記枠構造の前記延設部により支持され、前記フィルタエレメントが前記ハウジングの中に動作できるように配置されたときに、前記シール部材は前記ハウジングとともに半径方向シールを形成することを特徴とする請求項６に記載のエアクリーナ。
【請求項１７】
（ａ）前記接近用カバーは突出部を含み、前記突出部は前記フィルタエレメントにより形成される凹部の内部まで延設され、
（ｉ）前記フィルタエレメントの前記凹部は、前記シール部材の近くに設けられていることを特徴とする請求項６に記載のエアクリーナ。
【請求項１８】
（ａ）前記ハウジングと前記接近用カバーの一つは前記ハウジングの内部の前記容積部を目視で検査する窓を含むことを特徴とする請求項６に記載のエアクリーナ。
【請求項１９】
（ａ）分離形成される出口の構造に固定されるとともに、分離形成される本体部材であって、
（ｉ）前記出口の構造は、壁を含み、前記壁は流体のポートを形成し、前記壁はリムを有し、
（ｉｉ）前記本体部材は、Ｕ字形状の側壁を含み、
（Ａ）前記Ｕ字形状の側壁は、閉じた端部とこれに対向する開口した端部を有し、これらの端部は、これらの間でフィルタエレメントを収容できる十分な大きさを備え、
（Ｂ）前記Ｕ字形状の側壁は、入口の端部と出口の端部を有し、
（１）前記本体部材は、前記入口の端部から前記出口の端部に向かう方向の直            線的な空気の流れを可能にし、
（Ｃ）前記出口の構造の壁の前記リムは、前記本体部材に固定され、
（ｂ）取り外しできる点検整備用カバーが、前記Ｕ字形状の側壁の開口した端部を覆う状態と露出する状態とに任意に配置され、
（ｃ）ポリウレタン製のシール部材を有するフィルタエレメントが動作できるように配置され、前記本体部材と出口の構造との間でシールされるとともに、前記フィルタエレメントは第１の流れ面とこれに対向する第２の流れ面を有し、前記フィルタエレメントは複数の縦溝流路を有するフィルタ媒体を含み、それぞれの前記縦溝流路は前記第１の流れ面に隣接する上流の部分と、前記第２の流れ面に隣接する下流の部分を有し、一方の前記縦溝流路は上流の部分で開いており、下流の部分で閉じており、他方の前記縦溝流路は上流の部分で閉じており、下流の部分で開いている、
ことを特徴とするエアクリーナ用のエアクリーナハウジング。
【請求項２０】
（ａ）入口のポートと外側のリムを形成する入口の構造を、さらに備え、前記入口の構造は前記本体部材に対して前記入口の構造の外側のリムに沿うように固定されることを特徴とする請求項１９に記載のエアクリーナハウジング。
【請求項２１】
（ａ）前記入口の構造の壁の前記リムは、前記本体部材に対して溶接接合により固定されることを特徴とする請求項１９に記載のエアクリーナハウジング。  
【請求項２２】
（ａ）出口の構造は、
（ｉ）前記出口の構造の壁のリムに近く設けられる環状のシール表面を含み、
（Ａ）前記シール部材は、半径方向シールを形成するために前記シール表面に            対して圧縮され、
（ｉｉ）停止用の表面は前記環状のシール表面の近くで角度を備え、
（Ａ）前記シール部材は前記停止用の表面に対して係合する、
ことを特徴とする請求項１９に記載のエアクリーナハウジング。
【請求項２３】
（ａ）前記出口の構造は、前記壁の前記リムから延設される取付け用ブラケットを含むことを特徴とする請求項１９に記載のエアクリーナハウジング。
【請求項２４】
（ａ）前記入口の構造は、そこから延設される取付け用ブラケットを含むことを特徴とする請求項２０に記載のエアクリーナハウジング。
【請求項２５】
エアクリーナを含むエンジン空気流システムであって、前記エアクリーナは、入口の端部とこれに対向する出口の端部と、前記入口の端部と前記出口の端部の間に延設される側壁を有するハウジングを含み、前記側壁は、前記ハウジングの内部の容積部に入るようにアクセスするための接近用開口部を形成し、前記接近用開口部は前記入口の端部と前記出口の端部の間に設けられ、前記ハウジング中で動作できるように取り付けられ、シールされるシール部材を有するフィルタエレメントであって、前記フィルタエレメントは第１の流れ面とこれに対向する第２の流れ面を有し、前記フィルタエレメントは複数の縦溝流路を有するフィルタ媒体を含み、それぞれの前記縦溝流路は前記第１の流れ面に隣接する上流の部分と、前記第２の流れ面に隣接する下流の部分を有し、一方の前記縦溝流路は上流の部分で開いており、下流の部分で閉じており、他方の前記縦溝流路は上流の部分で閉じており、下流の部分で開いており、前記ハウジングの入口の端部を通り、前記第１の流れ面を通り、前記第２の流れ面を通り、そして前記ハウジングの前記出口の端部を通るように空気を通過させて動作できるように前記フィルタエレメントが取り付けられ、前記ハウジングは、前記フィルタエレメントを前記側壁の前記接近用開口部を通して受け入れるように構成および配置され、前記接近用開口部の上で取り外しできるように配置される接近用カバーであって、前記接近用カバーは前記入口の端部と前記出口の端部の間に設けられ、前記接近用カバーは、前記フィルタエレメントを取り外さずに取り外すことができ、
（ａ）少なくとも５０ｃｆｍの定格空気流れと空気導入部を有するエンジンと、
（ｂ）前記空気導入部と空気流が連通するように取り付けられる前記エアクリーナとを備えることを特徴とするエンジン空気流システム。
【考案の詳細な説明】
【技術分野】
【０００１】
本出願は、ＰＣＴの国際特許出願として米国のドナルドソン・カンパニー・インコーポレイティドを出願人として米国を除いたすべての国に出願された。ネプサント、ラリー、アールと、クエムベル、ブラッドリー、エーと、エンジェル、ドナルド、エフと、ボエルズ、ブルース、アレンと、ブチョリッツ、リチャード、エルと、アンダーソン、シェルドンとを考案者とし、出願番号第６０／３７９、８２４としてすべての国を指定し優先権を主張し、２００２年５月９日に出願された。
【０００２】
この開示は、エンジン用のフィルタ構造と濾過とフィルタの準備方法に関係している。特に、この開示では、Ｚ−フィルタ構成と側面着脱式ハウジングについて記述される。
【背景技術】
【０００３】
＜背景＞
気体はその流れの中でしばしば粒子材料を運ぶ。多くの事例では、気体の流れの中から幾分かまたは全ての粒子材料を取り除くことが望ましい。例えば、動力を備える乗り物または発電設備用のエンジンの空気取入れ口の空気流や、ガスタービンに向けられるガス流や様々な燃焼炉への空気の流れ中には、しばしば粒子材料が含まれる。様々なメカニズムを備える内部の作動部分に粒子材料が達すると、内部の作動部分にかなりの損害を与える。したがって、このようなシステムでは、エンジン、タービン、炉または他の設備における気体の流れの上流で粒子材料を取り除くことが望ましい。さまざまなエアフィルタもしくは気体フィルタ構成が微粒子の除去のために開発されてきている。しかしながら、一般にはさらなる改良が求められている。
【０００４】
＜開示の概要＞
エアクリーナは、ハウジングと接近用カバーを含む。ハウジングの内部容積部へはハウジングの壁の開口部を介して接近できる。濾過材に縦溝流路を形成したフィルタエレメントはエアクリーナから移動することで取り替えることができる。
【０００５】
一例のハウジングでは、フィルタエレメントのカム動作による取り付けにより、ハウジングとの間でシールを形成した係合が可能となる。カム動作システムに関する一例によれば、フィルタエレメントを所定位置にスライド式に取りつける斜面が設けられる。
【０００６】
一例のハウジングには、エアクリーナの内部の部品について目視検査を可能にするための窓を含む。
【０００７】
一例の接近用カバーは、フィルタエレメントがハウジング中で支持されることを補助して適切な着座状態になることを助けるための構造を含む。
【０００８】
一例の実施形態では、フィルタエレメントはハンドルを備える。多くの異なったタイプのハンドルが使用可能である。１つの特定のハンドルではフィルタエレメントに固定される紐を備える。この紐は、ハウジングからフィルタエレメントを取り外す際に役に立つことになる。
【０００９】
フィルタエレメントをエアクリーナに取り付ける取付方法は、ハウジング中のスライド表面に対してフィルタエレメントの一部を滑らせる工程を含む。
【００１０】
エアクリーナを点検整備する点検整備方法は、フィルタエレメントとハウジングの間で形成されたシール状態を解除するために、ハウジング中の傾斜表面に対してフィルタエレメントを傾ける工程を含む。
【００１１】
一つの点検整備方法は、フィルタエレメントに固定された紐に牽引力を与えることでフィルタエレメントとハウジングの間に形成されたシール状態（密封状態）を解除する工程を含む。
【特許文献１】米国特許第６，３５０，２１９号公報
【特許文献２】ＰＣＴ公開第ＷＯ９７／４０９１８号公報
【考案を実施するための最良の形態】
【００１２】
＜詳細な記述＞
Ａ．エアクリーナの実施例およびシステムの概観
ここに記述されるフィルタ構造とフィルタ構成は、さまざまなシステムで使用できる。一つの特定のタイプのシステムが、図１において概ね概略的に図示されている。図１では、例えば少なくとも５０ｃｆｍから１８００ｃｆｍまでの定格空気流を必要とするエンジン３３を有する乗り物などの装置３２について図式的に示されている。バス、高速道路走行トラック、オフロード車、トラクタ、軽負荷または中負荷のトラック、モーターボートなどの海洋用途用にこの装置３２が設けられる。このエンジン３３は、空気と燃料の混合物の使用により装置３２を駆動する。図１において、空気の流れが空気取入口領域３５においてエンジン３３に吸引される状態が示されている。エンジン３３の空気取入れ口に任意に取り付けられるターボ３６は鎖線で示されている。フィルタ構造４２を備えるエアクリーナ４０は、エンジン３３とターボ３６の上流に設けられている。一般的には、稼働状態では空気は矢印４４の方向からエアクリーナ４０中に入り、フィルタ構造４２を通過するように引き込まれる。フィルタ構成では微粒子と汚染物質が空気中から取り除かれる。このようにして浄化された空気は、矢印４６の方向に向かい下流の空気取入口３５に流れる。この空気取入れ口からは、空気は装置３２を駆動するエンジン３３の内部に流れることとなる。
【００１３】
エアクリーナ４０の一実施形態は、図２と、図３に示されている。エアクリーナ４０は、移動可能かつ取替え可能なフィルタエレメント５０を備えたハウジング４８を概ね含んでいる。望ましい構造では、このハウジング４８には移動可能なサービスカバー５２が設けられる。このサービスカバー５２は、エアクリーナ４０の点検整備を行うためにハウジング４８の内部容積部５４に接近できるように設けられる。このエアクリーナ４０の点検整備作業には、フィルタエレメント５０の取り外し作業と、ハウジング４８に新しいフィルタエレメント５０を取り付けるかまたは交換する作業が含まれる。
【００１４】
このハウジング４８は、入口の構造５６と、出口の構造５８および本体部材６０とを含む。望ましい実施形態では、入口の構造５６と、出口の構造５８および本体部材６０は本体構造６２を備える。カバー５２は、本体構造６２から移動し取り替えることができる。図示された望ましい特定の実施形態によれば、このカバー５２は本体部材６０から移動可能に構成されている。
【００１５】
一つの態様において、入口の構造５６は入口の端部６４からハウジング４８にかけて形成される一方、出口の構造５８はハウジング４８から出口の端部６６にかけて形成される。本体部材６０は、入口の構造５６と出口の構造５８の間において延設される側壁６８を備える。ハウジング４８において接近用（アクセス）開口部７０（図８）を提供するために、カバー５２は本体部材６０から移動可能である。この接近用開口部７０は、エアアクリーナ４０の内部への側面入口部７２（図８）を提供する。
【００１６】
図３は、動作可能に内部に取り付けられたフィルタエレメント５０が見えるように部分的にカバー５２を破断して示した図である。「動作可能に取り付けられる」およびこの文言の変形語は、エアクリーナ４０の通常の動作では空気が入口の構造５６を通り抜け、フィルタエレメント５０を通過し、出口の構造５８から流出するように、フィルタエレメントがハウジング４８に位置決めされることを意味する。ハウジング４８の中で動作可能に組み付けられると、フィルタエレメント５０はハウジング４８の内部においてシール７４を形成する。図示される特定の実施形態では、このシール７４は出口の構造５８に形成される。
【００１７】
以上の概観に基づき、次に様々なエアクリーナの構成部品について述べる。
【００１８】
Ｂ．フィルタエレメント
１．フィルタエレメント５０の実施例
この開示によれば種々のフィルタエレメントを使用することができるが、これらのフィルタエレメントとしてはデプス媒体 (depth media)または波形の媒体を管状に形成したエレメントなどが含まれるであろう。使用可能な一つのフィルタエレメント５０は、考案者のギーセケ等による米国特許番号第６，３５０，２１９号に記載されているフィルタエレメントが使用できるので、ここに参考のために記載する。この出願によるフィルタエレメント５０に対して追加のバンドを設ける点を除き、望ましいフィルタエレメントは米国特許番号第６，３５０，２１９号に記述される動作原理に従うことを意味する。図示の実施形態では、フィルタエレメント５０は直線的な空気の流れを許容するフィルタエレメントである。図示される特定の実施形態では縦溝流路またはＺ−濾過媒体８０を使用する。
【００１９】
次に、図４と図５を参照して、図示されるフィルタエレメントは第１の端部８１とこれに対向する第２の端部８２を有する媒体梱包体５１を含むことが示されている。この第１の端部には第１の流れ面８４が定義される一方、第２の端部には第２の流れ面８６が定義される。図示される事例では、第１の流れ面８４は入口端部に対応しており、第２の流れ面８６は出口端部に対応している。このフィルタエレメント５０は、また密封システム８８も含む。望ましい実施形態によれば、密封システム８８によりハウジング４８に対してエレメント５０が密封されている状態で、濾過材を通り抜ける空気などの流体中から濾過材８０が微粒子状物質を取り除く。ここで「密封（シール）」とは、密封システム８８により正常な条件下において濾過媒体８０とハウジング４８の間の領域を流体が通り抜けることが防止されることを意味する。すなわち、密封システム８８は流体が迂回せず濾過材８０を通して強制的に流れるよう機能させるためのものである。
【００２０】
この濾過材８０は、直線的な流れとなるように構成される。すなわち、濾過されるべき流体は、第１の流れ面８４を介して一方向９０の方向に流入され、第２の流れ面８６からの同じ方向９１に流出する。濾過媒体８０は、ここでは「Ｚ−媒体」とも呼ぶ。
【００２１】
図示される特定の実施形態では、第１の流れ面８４と第２の流れ面８６は互いに平行な平面として表現されている。他の実施形態では、第１の流れ面８４と第２の流れ面８６は非平面状であり、例えば円錐形状である。さらに、第１の流れ面８４と第２の流れ面８６は傾斜面として形成され互いに平行に構成しないこともできる。
【００２２】
一般に、フィルタエレメント５０は巻回構造８７を備えることになるであろう。すなわち、この構造５０は、中心軸の回りに完全な状態あるいは繰り返して巻回される濾材の層を通常含むことになるであろう。この濾過材の層を中心軸の周りに巻回した構造を使用する場合には、フィルタエレメント５０は、濾過材をロール状にした、透過性の縦溝流路を形成した濾過材として通常は形成されるであろう。他の装置構成では、この構成５０を積層構造とする場合もある。
【００２３】
次に、図７に着目する。図７は、本考案で使用可能なフィルタ構造の望ましい媒体の動作原理を模式図的に示した外観斜視図である。図７において、縦溝流路は概ね９４で示されている。望ましくは縦溝流路構造９４は、複数の縦溝流路９８と表面シート１００とを有する波形の層９６を含む。図７の実施形態では、１００Ａと（波形の層９６の上側に記入された）、１００Ｂと（波形の層９６の下側に記入された）の２つの部分の面シート１００が図示されている。通常は、以下に記載される構成で望ましい媒体構造１０２ は、下側の底面シート１００Ｂ上に固定される波形の層９６を含むであろう。この媒体構造１０２を巻回構造で使用するときには、それ自体の周りに通常巻き上げられて、底面シート１００Ｂが波形の層９６の外側の表面を覆うようになる。この波形の層の表面を覆うための表面シート１００が１００Ａとして表現されている。この表面シート１００Ａと表面シート１００Ｂは、同じシート１００であることが理解されよう。
【００２４】
このタイプの媒体構造１０２を使用するときには、縦溝流路の部屋９８は交互に頂上１０４と谷溝１０６を形成すると良い。谷溝１０６と頂上１０４は縦溝流路を上側の列と下側の列とに分割する。図７に示される特定の構成では、上側の縦溝流路は下流の端部で閉じた縦溝流路室１０８を形成する一方、上流の端部で閉じた縦溝流路室１１０は下側の縦溝流路の列を形成している。これらの縦溝流路室１１０は、縦溝流路のシート１１４と第２の面シート１００Ｂの間において縦溝流路の上流の端部の一部を充填する第１の端部の接着剤（bead)１１２により閉じられている。同様に、接着剤（bead)１１３により交互に設けられる縦溝流路１０８の下流の端部が閉じられている。
【００２５】
媒体構造１０２の形状で構成された媒体を使用すると、使用中において、空気のような濾過前の流体は、影付けした矢印１１６のように縦溝流路室１０８に入る。縦溝流路室１０８は上流の端部１１８が開口している。濾過前の流体の流れは、下流の端部１２０が第２の接着剤１１３によって閉じられていることから、縦溝流路室１０８の下流の端部１２０を通り抜けることはできない。したがって、流体は縦溝流路シート１１４あるいは面シート１００を通過せざるを得なくなる。濾過前の流体が縦溝流路シート１１４あるいは面シート１００を通り抜けるときに流体は浄化または濾過される。浄化された流体は白抜きの矢１２４で示されている。次に、流体は縦溝流路室１１０（上流の端部１２６が閉じられている）を通過するように流れ、縦溝流路構造９４の開口した下流の端部１２８を介して流れる。図示の構成によれば、濾過前の流体は縦溝流路シート１１４、上側の面シート１００Ａ、あるいは下側の面シート１００Ｂを通して縦溝流路室１１０の中に流れることができる。
【００２６】
媒体を巻きつけるかまたはロールさせるためには種々の方法が採用できる。いくつかの望ましい実施形態によれば、媒体構造１０２はフィルタエレメント５０の中心部材のコアとして機能するセンターマンドレルの回りに巻きつけられ、巻きつけ後に取り除かれるかコアを残すようにして形成されるであろう。横長、楕円形、長方形または競馬場のトラックの形状を有するように濾過媒体を製造するために非円形の中心巻回部材が利用されることは容易に理解されよう。この媒体構造１０２はマンドレルあるいは中心コアを用いずに巻きつけることもできる。コアレスのエレメント５０を製造するための１つの製造工程については米国特許第６，４１６，６０５号に記述されているので、ここに参考として記載する。
【００２７】
縦溝流路９８は平行な直線的な縦溝流路として図示されているが、他の実施形態として縦溝流路を先細りさせると良い場合がある。この先細りしている縦溝流路に関する事例は、１９９７年１１月６日にＷＯ９７／４０９１８号公報として公開されているのでここに参考として記載する。さらに、いくつかの実施形態では縦溝流路の端部を変形させることができる。このような変形された端部を有する縦溝流路についてはＷＯ９７／４０９１８号に記述されているのでここに参考として記載する。
【００２８】
次に、図５を参照すると、フィルタエレメント５０の平面図が図示されている。図５から分かるようにこのフィルタエレメント５０は非円筒形状の構造を備えている。特に、このフィルタエレメント５０は、湾曲されるかまたは曲げられた一対の端部１３２、１３３で接続された一対の平行な側面１３０、１３１を有する競馬場のトラックの構成を有している。流れ面８６は図式的に示されており、全体の流れ面８６が媒体１０２の端部であることは理解されよう。
【００２９】
引き続き、図４を参照すると、密封システム８８は枠構造１３４とシール部材１３６とを含んでいる。この枠構造は、ハウジング４８とともにシール７４を形成するためにシール部材１３６を圧縮するための支持本体または裏打ち手段を提供する。
【００３０】
図６に図示の実施例では、この枠構造は第２の流れ面８６の少なくとも一部から延設または突出形成される剛体の突出部１３８を含む。特に、この突出部１３８は第２の流れ表８６からこれに直交する軸方向に延設されている。この突出部１３８は、ハウジング４８の密閉面との間でシール部材１３６を支持することによりシール７４を形成するための支持部あるいは裏打ち部材を提供する。このタイプの構造が使用される場合には、突出部１３８は無端のリング１４０を形成する連続部材となる。図示される構成ではシール部材１３６はリング１４０の外側の部位に係合されている。このタイプの構造が使用される場合には、ハウジング４８と突出部１３８との間で押し付けられた状態のシール７４を形成するために、ハウジング４８はシール部材１３６を含む突出部１３８に外接される。特に、このシール７４は放射状の半径方向シール１４２（図３）となる。
【００３１】
引き続き図４から図６を参照して、この枠構造１３４はバンド、スカートまたは垂れ下がるリップ部１４６を有するフレーム１４４を含む。望ましくは、垂れ下がるリップ部１４６の内面の寸法は、巻回されたフィルタ構成８７の外面の寸法に略等しいと良い。この垂れ下がるリップ部１４６は、第２の流れ面の周りにおいてフィルタ構成８７から放射状に半径方向に延設される。特に、このリップ部１４６は、第２の流れ面８６に隣接して外側の周面または外側の環状部分１４８に固定される。
【００３２】
このフィルタエレメント５０は環状の凹部１５０を規定する。図示される望ましい実施形態では、この凹部１５０は枠構造の一部として規定されている。特に、この凹部１５０はリップ部１４６と突出部１３８の間において傾斜されて延設される角度部材１５２により定義されている。また、シール部材１３６の端部の面１５４は凹部１５０の一部を定義している。以下に説明するように、この凹部１５０はハウジング４８からの突出部を受け取りハウジング４８の中でフィルタエレメント５０を安定させるように機能する。
【００３３】
望ましくは、フレーム１４４は交差された支柱１５６を含むと良い。フレーム１４４がフレーム１４４の円周の周りに加わる力により放射状に崩れるのを防ぐように交差支柱１５６はフレーム１４４を支持する。図示された交差支柱１５６は、複数の剛体の支柱１６０を含むトラスシステム１５８を形成しているが、このトラスシステムは望ましくはフレーム１４４の残りの部分とともに一体成型されると良い。
【００３４】
図６を参照する。図６は非圧縮状態になっている特定の望ましいシール部材１３６を拡大して示した部分断面図である。図示の実施形態では、所望の密閉状態を得るために密閉部材１３６は、第１の端部１６１から第２の端部１６２にかけて外径寸法が段階的に減少する横断面形状を備えている。望ましいシール部材１３６の仕様としては、ハウジング４８との間できつい流体シールを成すように複数（望ましくは、少なくとも３つ）の段階的に増加する段差部を形成した発泡ポリウレタン材料が含まれる。図示の事例では、シール部材１３６は３つの段差部１６４、１６５、１６６を定義している。これらの段差部１６４、１６５、１６６の横断面または幅寸法はシール部材１３６の第２の端部１６２から次の段差部にかけて次第に増加している。第２の端部１６２における最小の寸法によりハウジング４８はの挿入が容易になる。第１の端部１６１におけるよ大きな寸法によりきついシールが提供される。
【００３５】
再度、図４を参照して、フィルタエレメント５０は巻回されたフィルタ構造８７を取り囲むフレームまたはバンド１６８をさらに含む。望ましくは、このバンド１６８はエレメント５０の外側の環状の部分１４８に固定されると良い。望ましい実施形態では、このバンド１６８は第１の流れ面８４に隣接した外側の外周面１７０に固定される。このバンド１６８は、ハウジング４８の中でフィルタエレメント５０を取り付けるためのスライド表面１７２を備えることができる。さらに、このバンド１６８はハウジング４８の中で動作可能に取り付けられると、フィルタエレメント５０を安定して支持する構造の補助の役割を果たす。この構造は、例えば図２６で見ることができる。図２６において、バンド１６８がどのようにカバー５２と係合しているのか見ることができる。この点についてはさらに以下に説明する。
【００３６】
２．フィルタエレメント５００の実施例
次に、図２９を参照すれば、エアクリーナ４０中で使用可能なフィルタエレメント５０が５００で図示されている。図示のフィルタエレメント５００は上述したフィルタエレメント５０と同じ特徴を備えており、Ｚ−濾過媒体５０２、バンド５０４およびシール部材５０６を含んでいる。これらのＺ−濾過媒体５０２、バンド５０４およびシール部材５０６の特徴は、上述したＺ−媒体８０、バンド１６８およびシール部材と類似するのでここでは説明を繰り返さない。また、上述された枠構造と類似しているが完全には同様ない枠構造５０８が設けられている。図示の実施形態では、この枠構造５０８はハンドルを収容できるように枠構造１３４が変更されている。
【００３７】
このフィルタエレメント５００は、エアクリーナ４０の点検整備を支援するためにハンドル５１０が固定されているという点で、上記のフィルタエレメント５０と異なる。このハンドル５１０については多くの異なる実施形態のものが使用可能である。一例のハンドルが参照番号の５１２で示されている。図示のハンドル５１２は柔軟な可撓性の紐５１４である。この紐５１４はエレメント５００の一部分に固定される。この紐５１４を固定するためには多くの異なる方法を採用できる。図示の実施形態では、この紐５１４は枠構造５０８に固定されている。望ましい実施形態では、紐５１４はリップ部５１６(リップ部１４６に類似する)に固定される。図２９に図示されるように、このリップ部５１６は、貫通孔５１８と突出して形成されるタブ５２０を形成している。この紐５１４は貫通孔５１８を通り、紐５１４の部分５２２がタブ５２０に係合して保持されている。特に、この紐の部分５２２は、貫通孔５１８の最も大きい開口面積よりも広いＴ部分５２４を含んでいる。この結果、貫通孔５１８を通り抜けることができないように構成されている。このＴ部分５２４は、所定の位置に固定できるようにタブ５２０に係合する。
【００３８】
図示の紐５１４は複数の開口部５２６を定義している。これらの開口部５２６は、紐５１４を使用者が把持するときに良好なグリップ状態を提供できる。他の実施形態では、閉鎖ループを形成するように紐５１４を二重に折り畳むこともできる。ここで、「紐」の文言は、単一または多重バンド、ベルト、細長片などで閉鎖ループを形成するために折り重ねられるかまたは折り畳まれることを意味する。この紐５１４として使用可能な材料としては、可撓性のナイロンおよび他の可撓性の重合材料などのプラスチックが含まれるが、もちろん他の材料を使用することも可能である。この紐５１４は多くの異なるサイズを備えることができる。１つの使用可能なサイズは、少なくとも５ｃｍであり、例えば１０〜２０ｃｍを含む、８〜３０ｃｍの全長と、少なくとも０．５ｃｍ、例えば１〜５ｃｍを含む、０．７５〜１０ｃｍの幅寸法である。
【００３９】
流れ面５３０に対する相対角度範囲の約７０〜１１０度、通常は約９０度でエレメント５００を牽引する牽引力をこのハンドル５１０により印加できる。また、エレメント５００がハウジング４８の中に設置されたときに、このハンドル５１０はエレメント５００への牽引力を印加して、密閉部材５０６と密封面１７６の間のシール１４２（図３）を解除することになる。一旦、シール１４２が解除されると、ハウジング４８からエレメント５００を取り除くことができる。
【００４０】
エアクリーナ４０からの各エレメント５０／５００の取り外しの方法を除き、このエレメント５００は、エレメント５０と同様な方法でエアクリーナ４０とともに使用できることになる。エレメント５００には存在するがエレメント５０には存在しないハンドルを使用する工程が、エレメントの取り外し工程で異なっている。これ以外には、この開示においてエレメント５０について参照するときに、エレメント５００も同様に使用可能であることが理解されよう。
【００４１】
Ｃ．ハウジング４８の実施例
上述したように、望ましいハウジング４８は本体構造６２と取り外し可能なカバー５２とを含むであろう。この本体構造６２は、本体部材６０と入口の構造５６および出口の構造５８とを含む。
【００４２】
図３によれば、シール部材１３６が圧縮される密封面１７６がどのように提供され、本体構造６２の半径方向シール１４２が形成されるかが分かる。図示の特定の実施形態では、出口の構造５８は密封面１７６を定義する。次に、図２３〜図２５を参照すると、出口の構造５８が詳細に示されている。図示される特定の出口の構造５８は、出口構造ハウジング１７８を含む。このハウジング１７８は内部容積部１８０と出口ポート１８２とを定義する。この出口ポート１８２はダクト１８４によって囲まれており、このダクトは他のダクトアセンブリに通常接続されている。このハウジング１７８は本体部材６０と接続される外側の縁１８６を含んでいる。望ましい適用分野では、出口構造ハウジング１７８は永久的なホットプレート式熱溶接などによる方法で本体部材６０に固定される。また、縁１８６はサービスカバー５２との嵌合部分を提供する。出口構造ハウジング１７８は密封面１７６を定義する。この密封面１７６は縁１８６に隣接した環状の表面である。この密封面１７６に隣接されかつ所定角度で傾けられた状態（望ましくは、直角）で停止表面１８８が設けられる。この停止表面１８８は、フィルタエレメント５０がハウジング４８の中に適切に固定されるとシール部材１３６と係合する端部の表面を備える。
【００４３】
密封面１７６の外側の壁からは取付ブラケット１９２が延設されている。この取付ブラケット１９２はボルトまたは他の取り付け部材を受け入れるための開口部１９３、１９４を含む。この取付ブラケット１９２はエアクリーナ４０を装置３２に取り付けるために任意に使用できる。さらに入口の構造５６に別の取付ブラケットを設け、エアクリーナ４０を取り付けるのに使用しても良い。入口の構造５６または出口の構造５８に１個以上の取付ブラケットを設けることで左右勝手違いのエアクリーナ４０が供給される。すなわち、入口の構造５６または出口の構造５８にエアクリーナ４０を取り付けることができるようになる。
【００４４】
図１１において、出口の構造５８の端面図が図示されている。望ましい実施形態では、出口の構造５８は感温器１９６と、制限インジケータの取付用の取付部１９８とがさらに設けられている。
【００４５】
次に、図３、図１０と図１９〜図３１を参照する。入口の構造５６の１つの実施形態が図示されている。この入口の構造５６は、入口ポート２０６を定義する入口のダクト２０４を有する入口構造ハウジング２０２を含むことが図示されている。この入口構造ハウジング２０２は、さらに内部容積部２０８を定義する。この内部容積部２０８を取り囲むようにして外側の縁２１０が設けられており、この縁２１０は本体部材６０とカバー５２に対して係合するように構成されている。望ましい実施形態では、入口構造ハウジング２０２は縁２１０に沿って本体部材６０に溶接されることによって本体部材６０への永久的な方法で固定されると良い。
【００４６】
この縁２１０からは取付ブラケット２１２が延設されている。図示される実施形態では、この取付ブラケット２１２は出口構造ハウジング１７８のブラケット１９２と同様に構成されている。このブラケット２１２は、フランジ２１４と第１と第２の取付用の開口部２１５、２１６を含む。これらの開口部２１５、２１６はボルトなどの適当な締結部材を挿入できるので、必要な装置３２にブラケット２１２とハウジング４８を固定できる。取付板２１９は縁２１０から延設されておりフランジ２１４に対して相対的に傾けられている。フランジ２１４を支えるようにして取付板２１９とフランジ２１４の間にまち（ガゼット）構造２１８が設けられている。
【００４７】
それぞれの取付ブラケット２１２と１９２は滑ることで本体部材６０と共に所定位置に固定されるように構成および配置されているために、取り付け位置における安定性と良好な格好を実現可能にしている。図２２に着目する。図２２は本体部材６０と係合する入口の構造のハウジング２０２の一部分を拡大して示した外観斜視図である。ブラケット２１２は複数の溝２２０を定義している。これらの溝２２０は、本体部材６０の側壁２２４から延設される先細りのリブ２２２（図１８）を受け入れる。図１８から分かるように、リブ２２２は、狭い部分２２６から広い部分２２８にかけて先細りまたは角度が付けられている。狭い部分２２６は広い部分２２８よりも入口構造５６の近くに位置している。この狭い部分２２６が最初に溝２２０に受け取られることになる結果、先細りしたリブ２２２を簡単に溝２２０の中に滑り込めるようになる。
【００４８】
次に、図８と図１５〜図１８に着目する。本体部材６０の一つの実施形態が図示されている。上記のように、本体部材６０は側壁２２４を含む。図１７において、側壁２２４がどのようにフィルタエレメント５０の形状に概ね対応する形状で湾曲されているかが分かる。この場合、側壁２２４は「Ｕ」字の形をしている。この場合には、側壁２２４は閉じた端部２３４と口あるいは開口端部２３６を形成した湾曲部分を含む。この開口端部２３６は、それを通してフィルタエレメント５０を受け入れ、十分に収容することができる大きさを備えている。また、この実施形態では、この開口端部２３６は側面着脱部７２に対応している。この側壁２２４は、入口の構造５６に隣接して取り付けられる入口の端部２３８と、出口の構造５８に隣接して取り付けられる出口の端部２４０を定義している。縁２５２、２５４は、入口の端部２３８と出口の端部２４０の間に延設されている。一対の取付フランジ２４２、２４３が側壁２２４から延設している。これらの一対の取付フランジ２４２、２４３は、本体部材６０に対して着脱自在にカバー５２を固定する締結部材２４６、２４７（図３）を受け入れるための開口部２４４、２４５を夫々含む。
【００４９】
また、この側壁２２４は、望ましくは側壁２２４に沿うように連続形成されるように縁２５２から縁２５４まで延設される複数のリブ２５０も含んでいる。これらのリブ２５０は本体部材６０に対して強度を与える。縁２５２と縁２５４は口あるいは開口端部２３６を形成する。また、縁２５２、２５４はカバー５２と相互作用して係合している。
【００５０】
エアクリーナ４０は、本体構造６２の中で動作可能にフィルタエレメント５０を取り付けるためのシステム２５９を含む。このエアクリーナシステム２５９は、フィルタエレメント５０をハウジングに対する密封状態にするためのカム機構を備えるように概ね構成および配置される。一例では、このシステム２５９はスライドマウント２６０を含む。このスライドマウント２６０によれば、フィルタエレメント５０を口あるいは開口部２３６を通過させて便利かつ滑らかに挿入でき、半径方向シール１４２を形成するために密封面１７６に対してシール部材１３６が圧縮されるように指向されることが可能となる。数多くの配置構成が可能である。図面に図示された特定の配置構成によれば、スライドマウント２６０は斜面２６２を含む。望ましい実施形態によれば、この斜面２６２は傾斜したスライド表面２６４を形成しており、このスライド表面は開口端部２３６から閉じた端部２３４の下方側に向けて角度を形成している。この「下方側に向けて角度を形成する」という文言は、入口端部２３８に対してスライド表面２６４は側壁２２４の湾曲部または閉じた端部２３４側よりも、スライド表面２６４は縁２５２、２５４に近い開口端部２３６において入口端部２３８に隣接していることを意味する。この構成は、例えば、図１８で見ることができる。図１８において、斜面２６２の外観の様子を図示しており、斜面２６２は閉じた端部２３４から開口端部２３６にかけて傾斜した角度を有するスライド表面２６４を有することが分かる。換言すれば斜面２６２は閉じた端部２３４において最も深い斜面部分２６５を形成する一方、開口端部２３６において最も浅い斜面部分２６６を形成している。開口端部２３６と閉じた端部２３４の間で斜面２６２は直線的に延びた連続したスライド表面２６４を形成している。
【００５１】
この斜面２６２は、フィルタエレメント５０を所定位置に移動または押すことでハウジング４８とともに半径方向シール１４２を形成できるようにフィルタエレメント５０に対して係合するカム表面を提供する。特に、この斜面２６２は、矢印２６８（図８）（横方向）で示される方向で閉じた端部２３４側に向けてフィルタエレメント５０に対して印加された力を、矢印２７０（軸方向）で示された出口の構造５８に向かう力の方向に転換させる（すなわち、カム動作を行うように構成されている）。図示される望ましい実施形態では、この斜面２６２は望ましくは３０度未満、通常５〜２５度の範囲、そして１０〜２０度の範囲の傾斜角度を有している。
【００５２】
望ましい実施形態によれば、フィルタエレメント５０上のバンド１６８はスライド表面２６４に対して係合し滑ることで、フィルタエレメント５０をハウジング４８内で動作可能なように取り付けるために設けられる。
【００５３】
次に、図３、図９、図１２〜図１４と図２６に着目する。カバー５２は様々な視点から図示されている。上述したようにこのカバー５２は本体部材６０から任意に移動可能あって、任意にアクセス用開口部７０を露出する状態と覆う状態にできる。この実施形態では、このアクセス用開口部７０は本体部材６０の口あるいは開口端部２３６にもまた対応している。機能上は同じであるが図９と図２６に図示されたカバー５２は、図３と図１２〜図１４に図示されたカバーとは、図９と図２６に図示のカバー５２には製品ラベルを敷設できる部分がある点で幾分か異なっている。
【００５４】
このカバー５２は湾曲した側壁２７６を含む。図１３に図示される実施形態では、この側壁２７６は概ね「Ｃ」の字の形を備えている。このカバーは、入口の構造５６に隣接している入口端部２７８と、これに対向配置されるとともに出口の構造５８に隣接している出口端部２８０と、入口端部２７８と出口端部２８０の間に延設される一対の縁２８２、２８３とを備える。側壁２７６は、入口端部２７８と出口端部２８０と縁２８２と縁２８３との間において、望ましくは連続して途切れないように形成される。夫々の縁２８２、２８８からは取付フランジ２８６、２８３とが延設されている。これらのフランジ２８６、２８８は本体部材６０のフランジ２４２、２４３に重なるように配置される。フランジ２８６、２８８は、移動可能なカバー５２を本体部材６０に固定するための締結部材２４６、２４７を収容する。
【００５５】
側壁２７６は、縁２８２から縁２８３にかけて連続して延設される複数の強化用リブ２９０を含む。これらのリブ２９０は、望ましくは互いに均等に区切られると良い。
【００５６】
カバー５２は、フィルタエレメント５０を支持して安定させるためのシステムもまた含んでいる。一つの望ましい実施形態によれば、カバー５２の側壁２７６は肩あるいは突起２９２を定義する。この突起２９２は、側壁２７６のエレメントを覆う部分２９６から首２９８まで延設される環状の表面２９４を含む。この首（ネック）２９８は側壁２７６の入口端部２７８に隣接する一方で、エレメントを覆う部分２９６は出口端部２８０に隣接している。突起部２９２はフィルタエレメント５０と係合するが、特にフィルタエレメント５０のバンド１６８と係合する。このために、突起部２９２はバンド１６８に対して係合する。
【００５７】
ここで、エレメント５０の対向する端部３０２（図８）は、本体部材６０の閉じた端部２３４においてバンド１６８と深い斜面部分２６５との間が係合されることで支持されることが分かる。
【００５８】
また、カバー５２はフィルタエレメント５０がハウジング４８内に置かれてシール１４２とともに動作可能なアセンブリとして支持されるようにフィルタエレメント５０を配置するための補助を行う。特に、このカバー５２は本体部材６０に動作可能に取り付けられるときに、ハウジング４８の内部容積部５４に向かって延設されるかまたは突設される突出部３０４を含む。図１４に図示される適応例では、突出部３０４はフック形状あるいは「Ｊ」の字の形をしている。図２６から分かるように、この突出部３０４はフィルタエレメント５０の凹部１５０の中にまで延びてから外部に出るように構成されている。ここで、「中にまで延びてから外部に出る」の意味は、突出部３０４は凹部１５０の内部まで延びる部分３０６を有しており、かつ部分３０６を凹部１５０の外部まで導く部分３０８を有することを意味する。図２６から分かるように、この突出部３０４の部分３０８はシール部材１３６の端部表面１５４の下方に隣接している。
【００５９】
使用に当たっては、フィルタエレメント５０(または、５００)が、本体構造６２に対して動作可能となるように組み付けられた後に、カバー５２がフィルタエレメント５０の露出部分の上に向けられ本体部材６０に取り付けられる。もしもフィルタエレメント５０がハウジング４８の中で半径方向シール１４２が形成されることで適切に着座されない場合には、カバー５２は本体部材６０に適切に取付けることができなくなる。もしもフィルタエレメント５０が本体構造６２の中で適切に取り付けられる場合には、バンド１６８と縁２９２との間の係合を通してカバー５２は適切な取付状態になるように案内される。さらに突起３０４はフィルタエレメント５０の凹部１５０の近傍において受け入れられるであろう。また、締結部材２４６、２４７が取り付けられるように取付フランジ２８６、２８８は、フランジ２４２、２４３に対して合致されるであろう。
【００６０】
図２７と図２８は、カバー５２の別の実施形態について５２’で図示している。ハウジング４８の中にフィルタエレメント５０が内蔵されていることをカバーを取り外すことなく目視で確認するための方法が、ハウジング４８に窓３２０を含めることで提供される。この窓３２０は、フィルタエレメントがハウジング４８の中に配置されているときに、窓３２０を通してフィルタエレメント５０が見える位置に配置される。この窓３２０は多くの場所に配置可能であるが、図示される特定の実施形態ではこの窓３２０はカバー５２’中に位置している。図示の実施形態によれば、この窓３２０はカバー５２’の側壁２７６’の中の開口３２４に嵌合されて固定される透明レンズ３２２を含む。このレンズ３２２はポリカーボネートなどの耐久性に富む、透明材料から作ることができる。望ましい利用方法としては、エレメント５０の外面を明るい色にすることで窓３２０を介して非常に良く見えるようにすると良い。この開示の指定代理人であるドナルドソン  カンパニーは指定色を使用しているので、エレメント５０がドナルドソンのフィルタエレメントであることが使用者は分かることになる。ドナルドソン青がドナルドソン  カンパニーにとって望ましい。図示の窓３２０は円形（丸）形状を有しているが、他の実施形態ではこの窓３２０は不規則な形状の多角形、長方形、星形、渦巻き形などで形成される。
【００６１】
Ｄ．使用方法、取付方法および点検整備方法
フィルタエレメント５０をハウジング４８に取り付けるためには、アクセスのための接近用開口部７０を露出するためにカバー５２が本体構造６２から取り外される。フィルタエレメント５０の第２の端部８２が出口の構造５８に隣接する一方で、第１の端部８１が入口の構造５６に隣接するようにフィルタエレメント５０が配置されている。バンド１６８は斜面２６２に対して係合するように配置されている。フィルタエレメント５０は、側面導入部７２を介して導入されスライドマウント２６０に沿って矢印２６８の方向に滑らされる。バンド１６８に対するスライド表面２６４の係合作用によって、出口の構造５８の密封面１７６に対してシール部材１３６が向かう方向である出口の構造５８側に向けてフィルタエレメントが移動される。最後に、フィルタエレメント５０は閉じた端部２３４と深い斜面部分２６５に達する。この時点では、シール部材１３６はハウジング４８の密封面１７６とフィルタエレメント５０の枠構造の剛体の突起１３８との間に位置されることで半径方向シール１４２を形成しているはずである。次にカバー５２がフィルタエレメント５０の露出した部分の上に配置される。縁２９２はフィルタエレメント５０を支持するためにバンド１６８に係合する一方で、突起３０４はフィルタエレメント５０の凹部１５０の中に延びて受け入れられる。締結部材２４６、２４７が本体部材６０にカバー５２を接続するために挿入される。以上でエアクリーナ４０の濾過作用のための準備が整うことになる。
【００６２】
エアクリーナ４０を使用するためには、汚い空気は取入口の領域３５（図１）を通り、ダクトに入り、最後に入口の構造５６の入口のダクト２０４を通りぬける。次に、空気はフィルタエレメント５０に流入し、第１の流れ面８４を通過する。汚い空気は濾過材８０を通過するように強制的に流れることで、そこでは空気中の粒子材料が少なくとも部分的に浄化される。浄化された空気は、第２の流れ面８６から流れ出ることでフィルタエレメント５０から流れ出る。そこから浄化空気は、出口の構造５８を通過し、出口ダクト１８４を通って流れる。浄化大気は内燃機関３３などの装置３２で使用される。
【００６３】
一定の期間の使用後に、フィルタエレメント５０は容認できない高レベルの制限での閉塞状態または詰まった状態になる。このときアクリーナ４０の点検整備作業が必要になるであろう。「点検整備作業」とはフィルタエレメント５０を取り外し、新しいフィルタエレメント５０に交換することを意味する。
【００６４】
このエアクリーナ４０を点検整備するするために、ハウジング４８から締結部材２４６、２４７を取り外すことでカバー５２が取り外される。このカバー５２が取り除かれることで、本体部材６０の口または開口端部２３６によって定義された接近用開口部７０が露出される。使い古しのフィルタエレメント５０、５００が接近用開口部７０を通してハウジング４８から取り除かれる。この操作は、フィルタエレメント５０、５００とハウジング４８の間において、最初にシール１４２を解除するかまたはシール状態を切断することによって行われる。エレメント５０の場合には、フィルタエレメント５０の露出した縁を保持し 入口の構造５６の方向に力を印加することでシール１４２が解除される。エレメント５００の場合は、紐５１４が使用者の手で握られ、牽引力の力が流れ表５３０(すなわち、入口の構造５６に向かう方向)に対して約９０度の方向に印加されることでシールが解除される。エレメント５０、５００において上記のような方向に力が印加されるとバンド１６８が斜面２６２の深い部分２６５に対して係合する。この結果、バンド１６８と斜面２６２の深い部分２６５との間の係合動作で形成されたピボット領域を中心にしてフィルタエレメント５０、５００が傾くことになる。この傾き運動は、半径方向シール１４２を解除するように密封面１７６からフィルタエレメント５０、５００を引き出すことになる。以上で側面導入部７２を通してエアクリーナ４０の外にフィルタエレメント５０、５００を取り除くことができる。
【００６５】
次に、古いフィルタエレメント５０、５００は処分される。第２の新しいフィルタエレメント５０、５００が供給される。新しいフィルタエレメント５０、５００は、側面導入部７２を通して取り付けられ、エレメント５０、５００を滑らせることによってハウジング４８の中で動作可能なようにエアクリーナ４０に取り付けられる。次に、カバー５２がフィルタエレメント５０、５００の露出した部分の上に置かれ本体部材６０に固定されることになる。
【００６６】
Ｅ．一般動作原理と実施例
一般的には、エアクリーナを点検整備するための点検整備方法が提供され、エアクリーナはハウジングの中に取り付けられるフィルタエレメントを含み、フィルタエレメントとハウジングの間のシールを解除するためにハウジングの中の傾斜の表面に対してフィルタエレメントを傾ける。フィルタエレメントに第１の流れ面とこれに対向する第２の流れ面を有する。フィルタエレメントは多くの縦溝流路を有する媒体を含む。それぞれの縦溝流路は第１の流れ面に隣接する上流の部分と、第２の流れ面に隣接する下流の部分を有する。選択される一方の縦溝流路は上流の部分で開いており、下流の部分で閉じており、縦溝流路の選択された他方のものは上流の部分で閉じており、下流の部分で開いている。ハウジングの中の傾斜の表面に対してフィルタエレメントを傾ける工程は、フィルタエレメントとハウジングの間の半径方向シールを解除すること。以上を点検整備方法は含む。
【００６７】
フィルタエレメントを傾ける工程の後に、ハウジングの側面の開口部を通してフィルタエレメントを取り除く工程がある。
【００６８】
このフィルタエレメントを取り除く工程の後に、第２のフィルタエレメントが供給され、この第２のフィルタエレメントがハウジングに取り付けられる。この第２のフィルタエレメントは第１の流れ面とこの第１の流れ面に対向する第２の流れ面を有する。第２のフィルタエレメントは複数の縦溝流路を有する媒体を含む。それぞれの縦溝流路は第１の流れ表に隣接する上流の部分と、第２の流れ面に隣接する下流の部分を有する。選択された縦溝流路は上流の部分で開いており、下流の部分で閉じており、縦溝流路の選択されたものは上流の部分で閉じており、下流の部分で開いている。
【００６９】
ハウジングは斜面を含む。この傾斜の表面の部分には斜面が形成される。そして取り付けの工程は第２のフィルタエレメント上に設けられたシール部材とハウジングの密封面の間でシールを形成するためにハウジングの斜面に対して第２のフィルタエレメントの一部を滑らせる工程を含む。
【００７０】
傾ける工程の前に、ハウジングの側面において開口部を露出させるためにハウジングからカバーを取り外す工程がある。
【００７１】
取り付けの工程の後に、カバーをハウジングの開口部の上に置く工程がある。
【００７２】
カバーを置く工程の後に、カバーとハウジングの一つに形成された窓を通してフィルタエレメントを見る工程がある。
【００７３】
傾斜の表面に対してフィルタエレメントを傾ける工程は、第２の流れ面に対して角度約７０〜１１０度の方向の牽引力の力をエレメントに加える工程を含む。一例ではエレメントは第２の流れ面に対して約９０度の角度方向に引かれる。
【００７４】
この牽引力の力を加える工程はフィルタエレメントに固定されたハンドルを引くことを含む。
【００７５】
このハンドルを引く工程はフィルタエレメントに固定される可撓性の紐を引くことを含む。
【００７６】
フィルタエレメントはその上に取付けれる枠構造を含む。そして可撓性の紐を引く工程は枠構造に固定される可撓性な紐を引くことを含む。
【００７７】
フィルタエレメントが提供される。１つの使用可能なフィルタエレメントは第１の流れ面と、これに対向する第２の流れ面とを有する媒体梱包体を含む。それぞれの縦溝流路は第１の流れ面に隣接する上流の部分と、第２の流れ面に隣接する下流の部分を有する。選択された一方の縦溝流路は上流の部分で開いており、下流の部分で閉じており、縦溝流路の選択された他方のものは上流の部分で閉じており、下流の部分で開いている。媒体梱包体に固定されたシール部材と、フィルタエレメントの一部に固定された可撓性な紐を備える。
【００７８】
枠構造が媒体梱包体に固定される。この枠構造はシール部材を支持する。可撓性の紐が枠構造に固定される。
【００７９】
枠構造は端部において取付けられるリップ部と第２の流れ面から軸方向に突出形成される延設部とを有する。シール部材は枠構造の延設部で支持される。可撓性の紐は枠構造のリップ部に固定される。
【００８０】
リップ部は貫通孔を規定する。可撓性の紐はこの貫通孔を通り延設される。
【００８１】
エアクリーナが提供される。ハウジングは第１の端部とこれに対向する第２の端部と、前記第１の端部と前記第２の端部の間に設けられる側壁とを有する。いくつかの実施形態では、第１の端部は空気の出口端部を備え、第２の端部は空気の入口端部を備える。前記側壁は接近用開口部を規定する。前記接近用開口部を覆うように位置される移動可能な接近用カバーと、ハウジングを中に動作可能に取り付けられたフィルタエレメントとを備え、このフィルタエレメントは第１の流れ面とこれに対向する第２の流れ面を備える。フィルタエレメントは複数の縦溝流路を有する媒体梱包体を含む。それぞれの縦溝流路は第１の流れ面に隣接する上流の部分と、第２の流れ面に隣接する下流の部分を有する。選択された一方の縦溝流路は上流の部分で開いており、下流の部分で閉じており、縦溝流路の選択された他方のものは上流の部分で閉じており、下流の部分で開いている。ハウジングはフィルタエレメントを側壁の接近用開口部を通して受け入れ、フィルタエレメントをハウジングとの間でシール嵌合するようにカム動作するように構成および配置される。
【００８２】
一つの実施形態では、ハウジングの側壁はフィルタエレメントがハウジングとの間でシール嵌合するようにカム動作するスライドマウントを含む。いくつかの実施形態では、スライドマウントは側壁に形成される斜面である。
【００８３】
接近用カバーはフィルタエレメントによって規定される凹部の内側に延設される突起を含む。
【００８４】
フィルタエレメントはシール部材と枠構造とを含む。枠構造は第２の流れ面から軸方向に突出形成される延設部を有する。シール部材は枠構造の延設部で支持される。シール部材は半径方向シールを形成するために枠構造の延設部とハウジングとの間で圧縮されるように支持される。
【００８５】
フィルタエレメントの凹部はシール部材に隣接している。
【００８６】
フィルタエレメントは第１の流表面の周囲に設けられるバンドを含む。接近用カバーはフィルタエレメントを支持するためにバンドに係合される。
【００８７】
接近用カバーはハウジングの内部容積部に向かって延設される縁を含む。フィルタエレメントは第１の流れ面において斜面と接近用カバーの上の縁によって支持される。
【００８８】
フィルタエレメントは第１の流れ面の周囲に設けられるバンドを含む。バンドは斜面と縁に係合される。
【００８９】
接近用カバーはハウジングの内部容積へ視覚的にアクセスできるようにするための窓を含む。
【００９０】
エアクリーナが提供される。ハウジングは第１の端部とこれに対向する第２の端部と、前記第１の端部と前記第２の端部の間に設けられる側壁とを有する。ハウジング中に動作可能に取り付けられるフィルタエレメントとを備える。フィルタエレメントは第１の端部とこれに対向する第２の端部を有する。フィルタエレメントは複数の縦溝流路を有する媒体梱包体を含む。それぞれの縦溝流路は第１の流れ面に隣接する上流の部分と、第２の流れ面に隣接する下流の部分を有する。選択された縦溝流路は上流の部分で開いており、下流の部分で閉じており、縦溝流路の選択されたものは上流の部分で閉じており、下流の部分で開いている。フィルタエレメントは第２の流れ面に隣接したシール用のガスケットを含む。ハウジングは周囲の凹部に出入りするように延設される突起を含む。
【００９１】
フィルタエレメントは枠構造を含む。この枠構造は端部の上に取り付けられるリップ部と第２の流れ面から軸方向に突出形成される延設部とを有する。シールガスケットは枠構造の延設部で支持される。半径方向シールを形成するために、シールガスケットは枠構造の延設部とハウジングとの間で押し付けられて圧縮される。枠構造の周囲で定義される凹部はリップ部と延設部の間に設けられる。
【００９２】
フィルタエレメントは第１の流れ面の周囲に設けられるバンドを含み、ハウジングはバンドに係合することでフィルタエレメントを支持する縁を含む。
【００９３】
エアクリーナハウジングの内部にフィルタエレメントを取り付ける取付方法が提供される。この取付方法は以下を含む。ハウジング本体の中にフィルタエレメントを配置する。フィルタエレメントは第１の流れ面とこれに対向する第２の流れ面を備える。フィルタエレメントは複数の縦溝流路を有する媒体梱包体を含む。それぞれの縦溝流路は第１の流れ面に隣接する上流の部分と、第２の流れ面に隣接する下流の部分を有する。選択された一方の縦溝流路は上流の部分で開いており、下流の部分で閉じており、縦溝流路の選択された他方のものは上流の部分で閉じており、下流の部分で開いている。フィルタエレメントはフィルタエレメントの外側の環状部分において凹部を定義しており、フィルタエレメントとハウジング本体との間でシールを形成している。ハウジング本体の上にカバー部材が配置される。カバー部材は突出部を含む。カバー部材を配置する工程はカバー部材の突出部をフィルタエレメントの凹部に入れてから出すことを含む。
【００９４】
ハウジング構造が提供される。ハウジング構造はハウジング壁を備え、このハウジング壁は流体入口を定義するダクトを含む。ハウジング壁は縁と、この縁から延設される取付ブラケットとを含む。取付ブラケットは締結部材を受け入れる開口部の構成を定義するフランジを含む。取付板がフランジと縁の間に延設される。フランジはフランジに対して傾けられる。取付板は複数のリブ取付用溝を定義する。フランジを支える取付板とフランジの間にマチ構造が設けられる。
【００９５】
フランジ壁はさらに縁に隣接して環状の密封面と、そこから隣接して角度を成す端部の停止表面とを定義する。
【００９６】
少なくとも５０ｃｆｍの空気流量の度合いと空気取入れ口を有する機関と、この空気取入れ口との間で空気流れが連通するように取付けられるエアクリーナ構造が提供される。このエアクリーナ構造は第１の端部とこれに対向する第２の端部とこれらの端部の間に形成される側壁とを有するハウジングを含む。側壁は接近用開口部と、この接近用開口部からハウジングの閉じた部分に向けて延設される斜面を定義する。接近用カバーがこの接近用開口部の上に移動自在に配置される。ハウジングの内部においてフィルタエレメントが動作可能に配置される。フィルタエレメントは第１の流れ面とこれに対向する第２の流れ面を備える。フィルタエレメントは複数の縦溝流路を有する媒体梱包体を含む。それぞれの縦溝流路は第１の流れ面に隣接する上流の部分と、第２の流れ面に隣接する下流の部分を有する。選択された一方の縦溝流路は上流の部分で開いており、下流の部分で閉じており、縦溝流路の選択された他方のものは上流の部分で閉じており、下流の部分で開いている。
【００９７】
エアクリーナの内部にフィルタエレメントが内蔵されているかを検出する検出方法が提供される。この検出方法は、接近用カバーを取付けた状態でハウジングを目視で検査し、ハウジングまたは接近用カバーの窓を通してハウジングの中にフィルタエレメントが存在するかどうかを決定する。
【図面の簡単な説明】
【００９８】
【図１】は、本開示によるエアクリーナが使用されるシステムの一実施形態について示した模式的である。
【図２】は、移動して取り替えられるフィルタエレメントが内部に取り付けられているハウジングを含むエアクリーナの一実施形態の外観斜視図である。
【図３】は、内部に動作可能に取り付けされたフィルタエレメントが見えるようにハウジングの一部を破断して示した、図２に図示のエアクリーナの側面図である。
【図４】は、図２と図３に図示されたエアクリーナに使用できるフィルタエレメントの一実施形態の側面図である。
【図５】は、図４に図示されたフィルタエレメントの上面図である。
【図６】は、図５の６−６線矢視断面図であって、フィルタエレメントの横断面の一部を破断して示した図である。
【図７】は、図４と図５で図示されたフィルタエレメントで使用される濾過材の一部を模式的に示した外観斜視図である。
【図８】は、図２と図３のエアクリーナハウジングの外観斜視図であって、サービスカバーが取り除かれてフィルタエレメントの取り付けのために内部に位置決めされる様子を示した図である。
【図９】は、図２と図３に図示されたエアクリーナの側面図である。
【図１０】は、図９に図示されたエアクリーナの入口端を図示した側面図である。
【図１１】は、図９に図示されたエアクリーナの出口端を図示した側面図である。
【図１２】は、図２および図３と、図９から図１１に図示されたエアクリーナと共に使用されるケーシングカバーの側面図である。
【図１３】は、図１２に図示されたケーシングカバーの端面の側面図である。
【図１４】は、図１３の１４−１４線矢視断面図であって、ケーシングカバーの横断面図である。
【図１５】は、図２および図３と、図９から図１３に図示されたエアクリーナのハウジング本体の外観斜視図である。
【図１６】は、ハウジング本体の内部の部分の側面図である。
【図１７】は、ハウジング本体の端面の側面図である。
【図１８】は、図１５に図示のハウジング本体の上面図である。
【図１９】は、図２および図３と、図９から図１３に図示されたエアクリーナハウジングに使用される入口の構造を示した側面図である。
【図２０】は、図１９に図示されたハウジングの入口の構造を示した底面図である。
【図２１】は、図１９に図示された入口の構造の側面図である。
【図２２】は、エアクリーナ本体の一部と係合する入口の構造の一部分を示した外観斜視図である。
【図２３】は、図２および図３と、図９から図１３に図示されたエアクリーナハウジングと共に使用される出口の構成の側面図である。
【図２４】は、図２３に図示された出口の構成の後部の側面図である。
【図２５】は、図２３に図示された出口の構成の右側の端部を示す側面図である。
【図２６】は、ケーシングカバーと相互作用するフィルタエレメントの一部を破断して示した側面図である。
【図２７】は、別の実施形態の側面図であって、図３に図示されたエアクリーナと類似する視点から見た図である。
【図２８】は、図２６と類似する視点で見た図２７の別の実施形態の図である。
【図２９】は、図２および図３と、図８から図２８に図示されたエアクリーナで使用可能なフィルタエレメントの他の実施形態の外観斜視図である。
【図１】
0003110215.tif 000003
【図２】
0003110215.tif 000004
【図３】
0003110215.tif 000005
【図４】
0003110215.tif 000006
【図５】
0003110215.tif 000007
【図６】
0003110215.tif 000008
【図７】
0003110215.tif 000009
【図８】
0003110215.tif 000010
【図９】
0003110215.tif 000011
【図１０】
0003110215.tif 000012
【図１１】
0003110215.tif 000013
【図１２】
0003110215.tif 000014
【図１３】
0003110215.tif 000015
【図１４】
0003110215.tif 000016
【図１５】
0003110215.tif 000017
【図１６】
0003110215.tif 000018
【図１７】
0003110215.tif 000019
【図１８】
0003110215.tif 000020
【図１９】
0003110215.tif 000021
【図２０】
0003110215.tif 000022
【図２１】
0003110215.tif 000023
【図２２】
0003110215.tif 000024
【図２３】
0003110215.tif 000025
【図２４】
0003110215.tif 000026
【図２５】
0003110215.tif 000027
【図２６】
0003110215.tif 000028
【図２７】
0003110215.tif 000029
【図２８】
0003110215.tif 000030
【図２９】
0003110215.tif 000031